(57)【要約】      （修正有）【課題】全ての単位収納庫において、電子機器類をコンセントに接続した状態で単位収納庫から荷物を出し入れする際に配線コード等が邪魔になることを防止するとともに、内部で有効活用できる空間を大きくすることにより、利便性を向上させることが可能となる、収納家具を提供する。【解決手段】収納家具であるロッカー１は、一つの筐体の内部を内側板１３ｉで左右に仕切って複数の収納空間Ｓを設け、それぞれの収納空間Ｓの前側開口部を開き扉３で開閉する構造の単位収納庫２を複数設け、それぞれの単位収納庫２の内側板１３ｉにおける開き扉３の吊元近傍に、単位収納庫２の内側に面する、電源供給用、及び／又は、情報通信用の接続部であるコンセント３２が設けられる。【選択図】図２
2020081730.tif 000002
【特許請求の範囲】
【請求項１】
一つの筐体の内部を少なくとも側板で左右に仕切って複数の収納空間を設け、それぞれの収納空間の前側開口部を開き扉で開閉する構造の単位収納庫を複数設けた収納家具において、
それぞれの前記単位収納庫の前記側板における前記開き扉の吊元近傍に、前記単位収納庫の内側に面する、電源供給用、及び／又は、情報通信用の接続部が設けられる、収納家具。
【請求項２】
前記筐体の内部が底板で上下に仕切られて前記収納空間が多段式に設けられ、
前記単位収納庫の前記底板における前記開き扉の吊元近傍には、前記単位収納庫の前記収納空間と、前記単位収納庫の下方に位置する空間と、を連通する貫通孔が開口され、
前記接続部から延出される配線は、前記貫通孔を介して前記単位収納庫の下方に位置する空間に案内される、請求項１に記載の収納家具。
【請求項３】
前記接続部は、中空形状のケース部に固定され、
前記ケース部は、前記貫通孔の上側で上下方向に沿って設けられるとともに、前記単位収納庫の上方に位置する単位収納庫から案内される配線を内部に収容可能とする、請求項２に記載の収納家具。
【請求項４】
前記ケース部が前記側板に対して着脱可能に設けられる、請求項３に記載の収納家具。
【請求項５】
前記ケース部と前記側板とが磁力により互いに吸着される、請求項４に記載の収納家具。
【請求項６】
前記単位収納庫の内部には棚部材が収容され、前記接続部は前記棚部材よりも前記開口部の側に設けられる、請求項１から請求項５の何れか１項に記載の収納家具。
【発明の詳細な説明】
【技術分野】
【０００１】
本発明は収納家具に関し、詳細には収納家具の利便性を向上させる技術に関するものである。
【背景技術】
【０００２】
従来、一つの筐体の内部を板材で左右に仕切って複数の収納空間を設け、それぞれの収納空間の前側開口部を開き扉で開閉する構造の単位収納庫を複数設けた収納家具が用いられている。また、単位収納庫の内部で携帯電話やモバイルコンピュータ等の電子機器類の充電や使用ができるように、単位収納庫ごとに電源供給用のコンセントが設けられた収納家具が知られている（例えば、特許文献１及び特許文献２を参照）。
【先行技術文献】
【特許文献】
【０００３】
【特許文献１】特開２００２−２９００８３号公報
【特許文献２】特開２００２−２１９０２７号公報
【発明の概要】
【発明が解決しようとする課題】
【０００４】
上記の特許文献に記載の収納家具の場合、隣接する単位収納庫の間に空間を形成するとともに、コンセントから延出される配線を前記空間に配置する構成としている。この場合、隣接する単位収納庫において、コンセントの配置箇所が左右で異なるために、収納家具の利便性悪化の原因となっていた。
【０００５】
具体的には上記の収納家具において、何れか一方の単位収納庫ではコンセントが配置される側に開き扉の戸先側が配置される。これにより、電子機器類の配線コードをコンセントに接続した状態で単位収納庫から荷物を出し入れする際に、出し入れ口近傍に配線コードやアダプター等が位置することになるため、配線コード等が邪魔になる場合があった。
【０００６】
また、外形寸法が規定されている収納家具において、隣接する単位収納庫の間に空間を形成する構成では、当該空間を確保するために、単位収納庫の内部に形成される収納空間が小さくなってしまう。換言すれば、収納家具において無駄な空間が生じ、有効に活用できる空間が小さくなるため、収納家具の利便性悪化の原因となっていた。
【０００７】
本発明は以上の如き状況に鑑みてなされたものであり、本発明が解決しようとする課題は、全ての単位収納庫において、電子機器類をコンセントに接続した状態で単位収納庫から荷物を出し入れする際に配線コード等が邪魔になることを防止するとともに、内部で有効活用できる空間を大きくすることにより、利便性を向上させることが可能となる、収納家具を提供することである。
【課題を解決するための手段】
【０００８】
本発明は、上記課題を解決するために、以下に構成する収納家具を提供する。
【０００９】
（１）一つの筐体の内部を少なくとも側板で左右に仕切って複数の収納空間を設け、それぞれの収納空間の前側開口部を開き扉で開閉する構造の単位収納庫を複数設けた収納家具において、それぞれの前記単位収納庫の前記側板における前記開き扉の吊元近傍に、前記単位収納庫の内側に面する、電源供給用、及び／又は、情報通信用の接続部が設けられる、収納家具。
【００１０】
（２）前記筐体の内部が底板で上下に仕切られて前記収納空間が多段式に設けられ、前記単位収納庫の前記底板における前記開き扉の吊元近傍には、前記単位収納庫の前記収納空間と、前記単位収納庫の下方に位置する空間と、を連通する貫通孔が開口され、前記接続部から延出される配線は、前記貫通孔を介して前記単位収納庫の下方に位置する空間に案内される、（１）に記載の収納家具。
【００１１】
（３）前記接続部は、中空形状のケース部に固定され、前記ケース部は、前記貫通孔の上側で上下方向に沿って設けられるとともに、前記単位収納庫の上方に位置する単位収納庫から案内される配線を内部に収容可能とする、（２）に記載の収納家具。
【００１２】
（４）前記ケース部が前記側板に対して着脱可能に設けられる、（３）に記載の収納家具。
【００１３】
（５）前記ケース部と前記側板とが磁力により互いに吸着される、（４）に記載の収納家具。
【００１４】
（６）前記単位収納庫の内部には棚部材が収容され、前記接続部は前記棚部材よりも前記開口部の側に設けられる、（１）から（５）の何れか一に記載の収納家具。
【発明の効果】
【００１５】
以上における本発明に係る多段式収納家具は、以下に示す効果を奏する。
【００１６】
（１）の構成によれば、全ての単位収納庫において、電子機器類を接続部に接続した状態で単位収納庫から荷物を出し入れする際に配線コード等が邪魔になることを防止するとともに、有効に活用できる空間を大きくすることにより、利便性を向上させることが可能となる。
【００１７】
（２）の構成によれば、上下方向に重なる単位収納庫の間で、接続部から延出される配線を容易に案内することが可能となる。
【００１８】
（３）の構成によれば、単位収納庫における収納空間において、上方の空間から案内される配線が荷物に引っかかることを防止できる。
【００１９】
（４）の構成によれば、多段式収納家具において接続部の有無を変更することが可能となる。
【００２０】
（５）の構成によれば、接続部を容易に着脱することが可能となる。
【００２１】
（６）の構成によれば、棚部材の領域が幅方向で接続部に阻害されることがないため、棚部材を収納空間における幅方向の全域に広げることが可能となる。
【図面の簡単な説明】
【００２２】
【図１】本発明の一実施形態に係る収納家具を示す斜視図。
【図２】単位収納庫の内部構造を示す分解図。
【図３】単位収納庫の内部構造を示す平面図。
【図４】単位収納庫の内部構造を示す内側面図。
【図５】接続ユニットを示す背面斜視図。
【図６】収納家具の配線構造を示す内側面図。
【発明を実施するための形態】
【００２３】
図１から図６を用いて、本発明に係る収納家具の一実施形態であるロッカー１について説明する。以下では、ロッカー１に対向する使用者の視点によりロッカー１の左右方向を規定する。即ち、ロッカー１に対向する使用者の右側（図１における右上側）をロッカー１における右側方とする。また、ロッカー１における使用者側（図１における右下側）をロッカー１の前方とする。
【００２４】
本実施形態に係るロッカー１は、単位収納庫２を複数備えた多段式のパーソナルロッカーとして構成されている。即ち、ロッカー１は、例えばオフィス内でロッカー１を使用する複数の使用者ごとに、書類、書籍、及び、携帯電話やモバイルコンピュータ等（以下、「電子機器類」と記載する）などを内部に収容して保管するために用いられる。
【００２５】
図１から図６に示す如く、ロッカー１は、天板１１、ベース部材１２、側板１３、及び背板１４で形成される一つの筐体の内部を板材で仕切ることにより、複数の収納空間Ｓが形成される。ロッカー１には、それぞれの収納空間Ｓの前側開口部を開き扉３で開閉する構造の単位収納庫２が複数個設けられる。
【００２６】
本実施形態に係るロッカー１においては、側板１３の一形態である内側板１３ｉで筐体を左右方向に仕切ることにより、単位収納庫２が左右方向に二個隣接して配置される。また、ロッカー１は筐体を底板１５で上下方向に仕切ることにより、単位収納庫２が上下方向に三段に重ねて配置される。即ち、ロッカー１には図１に示す如く合計六個の単位収納庫２が形成される。それぞれの単位収納庫２の構成は配置箇所を除いて同様に構成される。以下では、図１及び図２に示す如く、左上に配置される単位収納庫２の構成を中心に説明する。
【００２７】
なお、本発明に係る収納家具は、一つの筐体の内部を少なくとも側板（本実施形態における内側板１３ｉ）で左右に仕切って複数の収納空間を設ける構成であれば良く、単位収納庫を一段で構成しても差し支えない。また、ロッカー１における単位収納庫２の個数は本実施形態に限定されるものではなく、左右方向に三個以上で並べたり、上下方向に四段以上で重ねたりしても差し支えない。
【００２８】
本実施形態に係るロッカー１において、筐体を構成する部材（天板１１、ベース部材１２、側板１３、及び、背板１４）、開き扉３、筐体の内部を仕切る内側板１３ｉ、底板１５等の板材は、スチール製の板金を適宜折り曲げることにより構成されている。なお、後述する他の部材である棚部材２１、ペントレイ２２、扉トレイ２３等は樹脂製部材で構成される。
【００２９】
開き扉３は、開き扉３の吊元側に設けられる上下二個のヒンジ４を介して筐体に組付けられる。詳細には図２に示す如く、ヒンジ４は開き扉３に固定されるヒンジ本体４ａと、筐体に固定される固定板４ｂとで構成される。底板１５の前側には前框部１６が設けられ、天板１１及び前框部１６のそれぞれの前面に固定板４ｂが固定される。そして、二個のヒンジ本体４ａが二枚の固定板４ｂに対してそれぞれ回動可能に連結されることにより、単位収納庫２において開き扉３が開閉可能に組付けられる。
【００３０】
本実施形態に係るロッカー１において、それぞれの単位収納庫２には開き扉３が同じ方向に開くように設けられる。具体的には図１に示すごとく、全ての開き扉３は右側に設けられた吊元がヒンジ４により筐体に連結されている。即ち、ロッカー１は、使用者が開き扉３を上面視で反時計回りに回動させることにより単位収納庫２が開き、開き扉３を上面視で時計回りに回動させることにより単位収納庫２が閉じるように構成されている。
【００３１】
開き扉３の戸先側端部における上下方向中央部には、ダイヤル式のロック部材５が設けられる。本実施形態に係るロッカー１において、ロック部材５にはダイヤル錠が採用されているが、ロック部材としてシリンダ錠、プッシュボタン錠、又は、ＩＣカード錠を採用することも可能である。ロック部材５にはラッチ６が設けられる。開き扉３が単位収納庫２を閉塞する際には、ラッチ６は側板１３の前側端部に固定されたラッチ受部材７と係合する。
【００３２】
開き扉３の上部には、左右に長手方向を有する長孔である貫通溝３ａが開き扉３を貫通して開口されている。単位収納庫２において開き扉３が閉塞されている際には、この貫通溝３ａを介して郵便物や書類等を収納空間Ｓの内部に投入することができる。貫通溝３ａから投入された郵便物等は、開き扉３の後面（収納空間Ｓ側の面）に設けられた扉トレイ２３の内側に落下する。単位収納庫２の使用者は、開き扉３を開いてから扉トレイ２３の内部にある郵便物等を取り出すことができる。
【００３３】
図１から図４に示す如く、単位収納庫２の内部には左右方向に長い長方形状のペントレイ２２が設けられる。詳細には図２に示す如く、底板１５における開口部側（前側）には、単位収納庫２の収納空間Ｓと、単位収納庫２の下方に位置する空間（本実施形態においては、直下の単位収納庫２の収納空間）と、を連通する孔部１５ｃが開口されている。そして、図１に示す如く、底面が下方に膨出するペントレイ２２が孔部１５ｃに挿入される。
【００３４】
ペントレイ２２は孔部１５ｃに嵌め殺しにより固定されており、容易に取り外すことができないように構成されている。即ち、使用者がペントレイ２２を取り外して上下に重なる他の単位収納庫２の内部を視認することができないように構成されている。
【００３５】
図１、図３、及び、図４に示す如く、単位収納庫２における収納空間Ｓの内部後方には棚部材２１が収容される（図２では棚部材２１の図示を省略している）。本実施形態における棚部材２１は、棚板部２１ａと、棚板部２１ａの左右両側に連結される二枚の脚部２１ｂと、に分割可能に構成されている。詳細には、脚部２１ｂの下端部は、底板１５における左右両端部にそれぞれ二個ずつ開口された係合孔１５ｂと係合する。また、脚部２１ｂの上端部は棚板部２１ａに連結される。これにより、棚部材２１は単位収納庫２の内部で固定される。
【００３６】
なお、本実施形態においては、単位収納庫２に一個の棚部材２１が収容される構成としたが、単位収納庫２に棚部材２１を設けない構成や、単位収納庫２の内部に複数の棚部材２１を積み重ねて配置する構成とすることも可能である。
【００３７】
図１から図６に示す如く、本実施形態に係るロッカー１において、単位収納庫２の内側板１３ｉ（側板１３）における開き扉３の吊元近傍に、単位収納庫２の内側に面する、電源供給用の接続部であるコンセント３２が設けられている。本実施形態において、全ての開き扉３は右側の吊元がヒンジ４により筐体に連結されているため、コンセント３２は単位収納庫２において右側に位置する内側板１３ｉ又は側板１３に設けられる。より詳細には、左側に位置する単位収納庫２では、コンセント３２は内側板１３ｉに設けられる。一方、右側に位置する単位収納庫２では、コンセント３２は右側の側板１３に設けられる（図３を参照）。
【００３８】
なお、開き扉３の吊元とコンセント３２との両方を、単位収納庫２における左側に配置する構成とすることも可能である。この場合、左側に位置する単位収納庫２では、コンセント３２は左側の側板１３に設けられる。一方、右側に位置する単位収納庫２では、コンセント３２は左側の内側板１３ｉに設けられる。
【００３９】
コンセント３２は、板金を折り曲げて形成した中空形状のケース部３１に固定される。本実施形態においては、ケース部３１とコンセント３２とにより、接続ユニット３０が一体的に構成される。コンセント３２はケース部３１に開口されている固定孔３１ｄに挿入された状態で、図５に示す如くねじによりケース部３１に固定される。コンセント３２からは配線３３が延出される（図４及び図６を参照）。
【００４０】
本実施形態において、接続ユニット３０の接続部は電源供給用のコンセント３２として構成されているが、接続部に例えばＵＳＢ端子のコネクタを設けることにより、接続ユニット３０を情報通信用として構成することも可能である。また、接続部にコンセント３２とコネクタの両方を設けることにより、接続ユニット３０を電源供給用及び情報通信用として構成することもできる。
【００４１】
図５に示す如く、ケース部３１は板金を折り曲げて構成した略筒状の部材である。本実施形態において、ケース部３１は長手方向に直交する断面視で略Ｃ字状に形成されているが、ケース部３１として筒状の部材を採用することも可能である。即ち、ケース部３１は内部に空間を有する中空形状であれば良く、その具体的形状は限定されるものではない。
【００４２】
図５に示す如く、ケース部３１の下端部には係合爪３１ａが折り曲げられて形成されている。また、ケース部３１の短手方向の端部には、コンセント３２が表出する側と反対の部分に折り返し部３１ｂが形成されている。折り返し部３１ｂには上部に二個、下部に一個の磁石３１ｃが接着されている。
【００４３】
また、図２に示す如く、単位収納庫２の底板１５における開き扉３の吊元近傍には、単位収納庫２と単位収納庫２の下方に位置する空間（本実施形態においては、直下の単位収納庫２の収納空間）とを連通する貫通孔１５ａが開口されている。そして、ケース部３１を内側板１３ｉに固定する際には、底板１５に設けた被係合部に係合爪３１ａを係合させる。本実施形態においては、被係合部の一例として貫通孔１５ａの縁部に係合爪３１ａが係合される。この状態で、磁石３１ｃを内側板１３ｉに吸着させるのである。このように、ケース部３１は貫通孔１５ａの上側で上下方向に沿って設けられる。なお、係合爪３１ａを係合させる被係合部として貫通孔１５ａとは異なる孔を形成し、この孔に係合爪３１ａを係合させることも可能である。
【００４４】
このように、接続ユニット３０は、ケース部３１に固定された磁石３１ｃが内側板１３ｉに磁力により吸着することにより、内側板１３ｉに固定される。接続ユニット３０は、係合爪３１ａが貫通孔１５ａに係合するとともに、磁石３１ｃが内側板１３ｉに吸着することにより、コンセント３２に配線コードを抜き差ししても内側板１３ｉから離脱することはない。
【００４５】
このように、接続ユニット３０を構成するケース部３１は、内側板１３ｉに対して着脱可能に構成されている。これにより、ロッカー１において接続ユニット３０の有無を変更することが可能となる。即ち、ロッカー１を組み立てた後で、接続ユニット３０を取り付けたり、又は、取り外したりすることができるのである。
【００４６】
また、ケース部３１は磁力により内側板１３ｉに吸着しているため、特別な工具等を用いることなく、内側板１３ｉに対して容易に着脱することができる。加えて、ケース部３１を磁力により内側板１３ｉに吸着させる構成とすることにより、内側板１３ｉに接続ユニット３０を取付けるための加工を施す必要がなく、収納空間Ｓの内部の体裁上も好適である。なお、ロッカー１において接続ユニット３０を設けない構成とする場合は、貫通孔１５ａは図示しない閉塞部材により閉塞される。
【００４７】
図４に示す如く、接続ユニット３０のコンセント３２から延出される配線３３は、貫通孔１５ａを介して、単位収納庫２の下方に位置する空間に案内される。そして、直下の単位収納庫２に案内された配線３３は、図６に示す如く、直下の単位収納庫２に設けられた接続ユニット３０のケース部３１の内部に収容される。換言すれば、接続ユニット３０は、その上方に位置する単位収納庫２から案内される配線３３を内部に収容可能に構成されているのである。図６に示す如く、最下段の単位収納庫２に案内された配線３３は、当該単位収納庫２の底板１５に開口された貫通孔１５ａからベース部材１２の内部を通じて外部に案内される。
【００４８】
上記の如く、本実施形態に係るロッカー１によれば、コンセント３２が設けられる接続ユニット３０を、全ての単位収納庫２の側板１３（内側板１３ｉ）における開き扉３の吊元近傍に配置している。このため、電子機器類の配線コードをコンセント３２に接続した状態で単位収納庫２から荷物を出し入れする際でも、配線コードやアダプター等を出し入れ口の反対側に位置させることができるため、配線コードやアダプター等が邪魔になることを抑制できる。
【００４９】
また、本実施形態に係るロッカー１によれば、何れの単位収納庫２においても、開き扉３の開き方向及びコンセント３２の配置形態が同一となるように構成されている。即ち、割り当てられた単位収納庫２によって使い勝手が変わることがないため、利用者にとっての利便性を向上させることが可能となる。
【００５０】
また、ロッカー１においては、単位収納庫２の間に空間を形成せず、各単位収納庫２の内部において最も使用頻度の低い箇所である開き扉３の吊元近傍に接続ユニット３０を設ける構成としている。詳細には、開き扉３の吊元近傍はデッドスペースとなり易く、特に扉トレイ２３が取り付いた時に収納空間Ｓとして使い難い部分となる。しかし、ロッカー１においてはこの部分に接続ユニットを設けることにより、開き扉３の吊元近傍を有効に活用できるのである。このように、本実施形態に係るロッカー１によれば、単位収納庫２の間に別途空間を形成する構成と比較して、ロッカー１の内部空間を有効に活用することが可能となる。
【００５１】
このように、本実施形態に係るロッカー１においては、全ての単位収納庫２において、電子機器類をコンセント３２に接続した状態で単位収納庫２から荷物を出し入れする際に配線コード等が邪魔になることを防止するとともに、内部で有効活用できる空間を大きくすることにより、利便性を向上させることが可能となるのである。
【００５２】
また、ロッカー１において、接続ユニット３０のコンセントから延出される配線３３は、底板１５に開口された貫通孔１５ａを介して単位収納庫２の下方に位置する空間に案内される。これにより、単位収納庫２の外に配線３３の案内経路を別途形成する必要がなく、上下方向に重なる単位収納庫２の間で配線３３を容易に案内することが可能となる。
【００５３】
また、ロッカー１において、接続ユニット３０のケース部３１は、当該単位収納庫２の上方に位置する単位収納庫２から案内される配線３３を内部に収容可能に構成される。これにより、単位収納庫２における収納空間Ｓにおいて、上方の空間から案内された配線３３が荷物に引っかかることを防止できる。
【００５４】
また、本実施形態に係るロッカー１においては図３及び図４に示す如く、接続ユニット３０（コンセント３２）は棚部材２１よりも前記開口部の側に設けられる。より具体的には図３及び図４に示す如く、接続ユニット３０（ケース部３１）は縦長形状に形成されるとともに、棚部材２１の前端から内側板１３ｉの前端の折曲部との間の空間に、長手方向を上下方向に向けて固定される。これにより、棚部材２１の領域が幅方向で接続ユニット３０に阻害されることがないため、棚部材２１を収納空間Ｓにおける幅方向の全域に広げることが可能となる。また、棚部材２１に荷物を載置する際に、棚部材２１の上側の空間を有効に活用することができる。また、棚部材２１に載置した収納物と、コンセント３２に接続したアダプター等が干渉することを防止できる。
【００５５】
また、ロッカー１において、開き扉３における収納空間Ｓの側の面には扉トレイ２３が設けられる。これにより、電子機器類を扉トレイ２３に収容した状態で、電子機器類の配線コードをコンセント３２に接続することが可能となる。この場合でも、開き扉３の吊元近傍に接続ユニット３０が設けられているため、電子機器類の配線コードをコンセント３２に接続した状態でも、配線コードやアダプター等が邪魔になることなく単位収納庫２から荷物を出し入れすることができる。
【符号の説明】
【００５６】
１    ロッカー（収納家具）         ２    単位収納庫             
３    開き扉                       ３ａ  貫通溝                 
４    ヒンジ                       ４ａ  ヒンジ本体             
４ｂ  固定板                       ５    ロック部材             
６    ラッチ                       ７    ラッチ受部材           
１１    天板                       １２    ベース部材             
１３    側板                       １３ｉ  内側板                 
１４    背板                       １５    底板                   
１５ａ  貫通孔                     １５ｂ  係合孔                 
１５ｃ  孔部                       １６    前框部                 
２１    棚部材                     ２１ａ  棚板部                 
２１ｂ  脚部                       ２２    ペントレイ             
２３    扉トレイ                   ３０    接続ユニット           
３１    ケース部                   ３１ａ  係合爪                 
３１ｂ  折り返し部                 ３１ｃ  磁石                   
３１ｄ  固定孔                     ３２    コンセント（接続部）   
３３    配線                         Ｓ    収納空間               
【図１】
2020081730.tif 000003
【図２】
2020081730.tif 000004
【図３】
2020081730.tif 000005
【図４】
2020081730.tif 000006
【図５】
2020081730.tif 000007
【図６】
2020081730.tif 000008